(57)【要約】【課題】地上波デジタル放送のＩＰ再送信において、放送波自体を遅延させずに遅延時間を少なくして、まだら編成時のシームレス切り替えを実現する。【解決手段】地上波デジタル放送のＩＰ再送信システムは、受信機５出力のＴＳストリームにおけるＰＳＩ及び映像ストリームに基づいて、ＨＤとＳＤとのまだら編成の開始および終了の切り替わりタイミングを検知する入力信号解析回路１と、切り替わりタイミングとＴＳストリームにおけるＧＯＰ位相との同期を取るようにＧＯＰ同期信号を生成するＧＯＰ同期信号発生回路９と、ＧＯＰ同期信号に基づいて、エンコーダ７出力のＴＳストリームにおける切り替わりタイミングのＧＯＰ位相に対応するＧＯＰ位置にＧＡＰを生成するＧＡＰ生成回路３と、ＧＯＰ同期信号に基づいて、ＧＡＰが生成されたタイミングでＴＳストリームを切り替えるようにマルチプレクサ８の動作を制御するマルチプレクサ制御回路４とを有する。【選択図】図１
2008244781.tif 000002
【特許請求の範囲】
【請求項１】
ＨＤとＳＤとのまだら編成を含む地上波デジタル放送を受信して、ＰＳＩ及び映像ストリームを含むＴＳストリームに復調する受信機と、前記受信機出力をデコードするデコーダと、前記デコーダ出力をエンコードするエンコーダと、前記エンコーダ出力のＴＳストリームを切り替えて送出するマルチプレクサとを有する地上波デジタル放送のＩＰ再送信システムであって、
前記受信機出力のＴＳストリームにおけるＰＳＩ及び映像ストリームに基づいて、前記ＨＤとＳＤとのまだら編成の開始および終了の切り替わりタイミングを検知するタイミング検知手段と、
前記切り替わりタイミングと前記ＴＳストリームにおけるＧＯＰ位相との同期を取るようにＧＯＰ同期信号を生成するＧＯＰ同期信号生成手段と、
前記ＧＯＰ同期信号に基づいて、前記エンコーダ出力のＴＳストリームにおける前記切り替わりタイミングのＧＯＰ位相に対応するＧＯＰ位置にＧＡＰを生成するＧＡＰ生成手段と、
前記ＧＯＰ同期信号に基づいて、前記ＧＡＰが生成されたタイミングで前記ＴＳストリームを切り替えるように前記マルチプレクサの動作を制御するマルチプレクサ制御手段と、を有することを特徴とする地上波デジタル放送のＩＰ再送信システム。
【請求項２】
前記ＧＡＰ生成手段は、前記エンコーダ出力のＴＳストリームを成す符号データのうちの前記切り替わりタイミングのＧＯＰ位相に対応する第１のＧＯＰ位置とその１ＧＯＰ分前のＧＯＰ位相に対応する第２のＧＯＰ位置との間の符号データを、前記第２のＧＯＰ位置から前記第１のＧＯＰ位置までの間に詰め込むことにより、前記第１のＧＯＰ位置にＧＡＰを生成することを特徴とする請求項１に記載の地上波デジタル放送のＩＰ再送信システム。
【請求項３】
前記ＧＡＰ生成手段は、前記第１のＧＯＰ位置と前記第２のＧＯＰ位置との間の符号データに存在する無効データを前記第１のＧＯＰ位置に移動させることにより、前記第１のＧＯＰ位置にＧＡＰを生成することを特徴とする請求項２に記載の地上波デジタル放送のＩＰ再送信システム。
【請求項４】
前記ＧＡＰ生成手段は、前記第１のＧＯＰ位置と前記第２のＧＯＰ位置との間の符号データの送出帯域を上げて相対的に増えた符号データを前記第２のＧＯＰ位置から前記第１のＧＯＰ位置までの間に詰め込んで送出させることにより、前記第１のＧＯＰ位置にＧＡＰを生成することを特徴とする請求項２に記載の地上波デジタル放送のＩＰ再送信システム。
【請求項５】
前記タイミング検知手段は、前記デコーダ内に搭載され、
前記ＧＡＰ生成手段は、前記エンコーダ内に搭載されることを特徴とする請求項１から４までのいずれか１項に記載の地上波デジタル放送のＩＰ再送信システム。
【請求項６】
ＨＤとＳＤとのまだら編成を含む地上波デジタル放送を受信して、ＰＳＩ及び映像ストリームを含むＴＳストリームに復調する受信機と、前記受信機出力をデコードするデコーダと、前記デコーダ出力をエンコードするエンコーダと、前記エンコーダ出力のＴＳストリームを切り替えて送出するマルチプレクサとを有する地上波デジタル放送のＩＰ再送信システムで用いるまだら編成時のシームレス切り替え制御方法であって、
前記受信機出力のＴＳストリームにおけるＰＳＩ及び映像ストリームに基づいて、前記ＨＤとＳＤとのまだら編成の開始および終了の切り替わりタイミングを検知するステップと、
前記切り替わりタイミングと前記ＴＳストリームにおけるＧＯＰ位相との同期を取るようにＧＯＰ同期信号を生成するステップと、
前記ＧＯＰ同期信号に基づいて、前記エンコーダ出力のＴＳストリームにおける前記切り替わりタイミングのＧＯＰ位相に対応するＧＯＰ位置にＧＡＰを生成するステップと、
前記ＧＯＰ同期信号に基づいて、前記ＧＡＰが生成されたタイミングで前記ＴＳストリームを切り替えるように前記マルチプレクサの動作を制御するステップとを有することを特徴とする地上波デジタル放送のＩＰ再送信システムで用いるまだら編成時のシームレス切り替え制御方法。
【請求項７】
前記ＧＡＰを生成するステップは、前記エンコーダ出力のＴＳストリームを成す符号データのうちの前記切り替わりタイミングのＧＯＰ位相に対応する第１のＧＯＰ位置とその１ＧＯＰ分前のＧＯＰ位相に対応する第２のＧＯＰ位置との間の符号データを、前記第２のＧＯＰ位置から前記第１のＧＯＰ位置までの間に詰め込むことにより、前記第１のＧＯＰ位置にＧＡＰを生成することを特徴とする請求項６に記載の地上波デジタル放送のＩＰ再送信システムで用いるまだら編成時のシームレス切り替え制御方法。
【請求項８】
前記ＧＡＰを生成するステップは、前記第１のＧＯＰ位置と前記第２のＧＯＰ位置との間の符号データに存在する無効データを前記第１のＧＯＰ位置に移動させることにより、前記第１のＧＯＰ位置にＧＡＰを生成することを特徴とする請求項７に記載の地上波デジタル放送のＩＰ再送信システムで用いるまだら編成時のシームレス切り替え制御方法。
【請求項９】
前記ＧＡＰを生成するステップは、前記第１のＧＯＰ位置と前記第２のＧＯＰ位置との間の符号データの送出帯域を上げて相対的に増えた符号データを前記第２のＧＯＰ位置から前記第１のＧＯＰ位置までの間に詰め込んで送出させることにより、前記第１のＧＯＰ位置にＧＡＰを生成することを特徴とする請求項７に記載の地上波デジタル放送のＩＰ再送信システムで用いるまだら編成時のシームレス切り替え制御方法。
【請求項１０】
ＨＤとＳＤとのまだら編成を含む放送波を受信して、ＰＳＩ及び映像ストリームを含むＴＳストリームに復調する受信機と、前記受信機出力をデコードするデコーダと、前記デコーダ出力をエンコードするエンコーダと、前記エンコーダ出力のＴＳストリームを切り替えて送出するマルチプレクサとを有する放送波の再送信システムであって、
前記受信機出力のＴＳストリームにおけるＰＳＩ及び映像ストリームに基づいて、前記ＨＤとＳＤとのまだら編成の開始および終了の切り替わりタイミングを検知するタイミング検知手段と、
前記切り替わりタイミングと前記ＴＳストリームにおけるＧＯＰ位相との同期を取るようにＧＯＰ同期信号を生成するＧＯＰ同期信号生成手段と、
前記ＧＯＰ同期信号に基づいて、前記エンコーダ出力のＴＳストリームにおける前記切り替わりタイミングのＧＯＰ位相に対応するＧＯＰ位置にＧＡＰを生成するＧＡＰ生成手段と、
前記ＧＯＰ同期信号に基づいて、前記ＧＡＰが生成されたタイミングで前記ＴＳストリームを切り替えるように前記マルチプレクサの動作を制御するマルチプレクサ制御手段と、を有することを特徴とする放送波の再送信システム。
【発明の詳細な説明】
【技術分野】
【０００１】
本発明は、地上波デジタル放送のＩＰ再送信システムに係り、特に地上波デジタル放送のＩＰ再送信システムで用いる、まだら編成時のシームレス切り替え制御方法に関する。
【背景技術】
【０００２】
ＭＰＥＧ（Moving Picture Experts Group）圧縮技術を用いた地上波デジタル放送では、映像フォーマットの異なる２種類のテレビジョン（ＴＶ）放送、即ち標準解像度（ＳＤ：Standard Definition）のＴＶ放送（ＳＤ、ＳＤＴＶ、又はＳＤ放送とも言う）と高解像度（ＨＤ：High Definition）のＴＶ放送（ＨＤ、ＨＤＴＶ、又はＨＤ放送とも言う）とを切り替えて運用する、いわゆる「まだら編成」が行われている。以下の説明では、標準解像度のＴＶ放送を「ＳＤ」、高解像度のＴＶ放送を「ＨＤ」と呼ぶ。
【０００３】
従来のデジタル放送システムの多重系システム（以下、単に「従来システム」と言う。）では、エンコーダ（ＥＮＣ）およびマルチプレクサ（ＭＵＸ）を用いているが、上記のまだら編成が行われる場合に、ＨＤからＳＤへ、またＳＤからＨＤへ、画像及び音声が乱れずに連続して切り替わるシームレスな切り替えが行われるよう、まだら編成に切り替わる際に事前にＥＮＣ及びＭＵＸに対して制御を行っている。こうすることで、まだら編成時の画像及び音声のシームレスな切り替わりが実現されている。この場合、従来システムでは、放送波のＴＳ（Transport Stream）ストリームにおけるＧＯＰ（Group Of Picture）位相に同期することで、ＥＮＣおよびＭＵＸに対する、まだら編成時のシームレス切り替え制御を行っている。
【０００４】
これに関連して、特許文献１には、１１２５ライン方式の映像信号と５２５ライン方式の映像信号との切り替えを、画質劣化を起こすことなくシームレスに行なえるようにしたデジタル放送信号切替装置が記載されている。この装置では、符号化多重制御装置にて、ＭＵＸの切替元となるＨＤ用ＥＮＣからストリーム情報を取得し、そのストリーム情報からバッファの遅延時間を計算し、その遅延時間が指定時間となるようにエンコーダのｖｂｖサイズを制御するとともに、切替先となるＳＤ用ＥＮＣからストリーム情報を取得してそれぞれのバッファの遅延時間を計算し、遅延時間が切替元の指定時間に満たなければ指定時間となるようにバッファの遅延時間に多重遅延時間を加えて、それぞれのＭＵＸへの入力タイミングを合わせた上でＭＵＸの切替制御を行っている。
【０００５】
ところで一方、地上波デジタル放送を受信できない難視聴世帯への対策等のため、地上波デジタル放送と同一のＴＶ番組を、ＩＰ（Internet Protocol）マルチキャスト技術を利用して、リアルタイムにＩＰネットワーク経由で送信する、ＩＰ再送信という新しいサービスも検討されている。これによると、地上波デジタル放送を受信してその放送波のＴＳストリームをＩＰにより再送信するＩＰ再送信システムの構築が不可欠となっている。
【特許文献１】特開２００４−１１２３０７号公報
【発明の開示】
【発明が解決しようとする課題】
【０００６】
前述した地上波デジタル放送のＩＰ再送信システムを構築する場合、現状の従来システム（多重系システム）をそのまま適用すると、以下のような理由から、まだら編成時のシームレス切り替えを実現するのが困難であることが予想される。
【０００７】
すなわち、地上デジタル放送のＩＰ再送信システムにおいては、受信した放送のまだら編成切り替わりタイミングの情報が事前に得られないという課題がある。また、従来システムでは、ＧＯＰ位相に同期することでＥＮＣおよびＭＵＸのまだら編成時のシームレス切り替え制御を行っているが、ＩＰ再送信システムでは放送波のＴＳストリームにおけるＧＯＰ位相を得ることができないという課題がある。さらに、ＩＰ再送信システムでは、放送波を出力しているＥＮＣ出力について、ＧＯＰ位相内にその画像及び音声のＴＳストリームが収まることを保証できないという問題がある。そのため、画像及び音声の再エンコードを行う場合、ＩＰ再送信システム側でのまだら編成のシームレスな切り替え制御を行うことができないという課題が存在する。
【０００８】
すなわち、従来システムでのまだら編成の切り替え制御では、切り替えタイミングの事前に制御を行うことで、シームレス切り替えを実現できるが、そのタイミングをＩＰ再送信システム側では事前に知ることができないという問題があった。その対策として、放送波自体を遅延させ、切り替えタイミングより事前に制御を行う方法が考えられるが、まだら切り替え制御を行うのに必要な遅延時間が大きくなる。この問題は、前述した特許文献１でも同様である。
【０００９】
本発明は、上記課題を解決するもので、地上波デジタル放送のＩＰ再送信において、放送波自体を遅延させずに遅延時間を少なくして、まだら編成時のシームレス切り替えを実現するシステム及び方法を提供することを目的とする。
【課題を解決するための手段】
【００１０】
上記目的を達成するため、本発明に係る地上波デジタル放送のＩＰ再送信システムは、ＨＤとＳＤとのまだら編成を含む地上波デジタル放送を受信して、ＰＳＩ及び映像ストリームを含むＴＳストリームに復調する受信機と、前記受信機出力をデコードするデコーダと、前記デコーダ出力をエンコードするエンコーダと、前記エンコーダ出力のＴＳストリームを切り替えて送出するマルチプレクサとを有する地上波デジタル放送のＩＰ再送信システムであって、前記受信機出力のＴＳストリームにおけるＰＳＩ及び映像ストリームに基づいて、前記ＨＤとＳＤとのまだら編成の開始および終了の切り替わりタイミングを検知するタイミング検知手段と、前記切り替わりタイミングと前記ＴＳストリームにおけるＧＯＰ位相との同期を取るようにＧＯＰ同期信号を生成するＧＯＰ同期信号生成手段と、前記ＧＯＰ同期信号に基づいて、前記エンコーダ出力のＴＳストリームにおける前記切り替わりタイミングのＧＯＰ位相に対応するＧＯＰ位置にＧＡＰを生成するＧＡＰ生成手段と、前記ＧＯＰ同期信号に基づいて、前記ＧＡＰが生成されたタイミングで前記ＴＳストリームを切り替えるように前記マルチプレクサの動作を制御するマルチプレクサ制御手段と、を有することを特徴とする地上波デジタル放送のＩＰ再送信システム。
【００１１】
本発明において、前記ＧＡＰ生成手段は、前記エンコーダ出力のＴＳストリームを成す符号データのうちの前記切り替わりタイミングのＧＯＰ位相に対応する第１のＧＯＰ位置とその１ＧＯＰ分前のＧＯＰ位相に対応する第２のＧＯＰ位置との間の符号データを、前記第２のＧＯＰ位置から前記第１のＧＯＰ位置までの間に詰め込むことにより、前記第１のＧＯＰ位置にＧＡＰを生成してもよい。
【００１２】
この場合、前記ＧＡＰ生成手段は、前記第１のＧＯＰ位置と前記第２のＧＯＰ位置との間の符号データに存在する無効データを前記第１のＧＯＰ位置に移動させることにより、前記第１のＧＯＰ位置にＧＡＰを生成してもよい。
【００１３】
或いは、前記ＧＡＰ生成手段は、前記第１のＧＯＰ位置と前記第２のＧＯＰ位置との間の符号データの送出帯域を上げて相対的に増えた符号データを前記第２のＧＯＰ位置から前記第１のＧＯＰ位置までの間に詰め込んで送出させることにより、前記第１のＧＯＰ位置にＧＡＰを生成してもよい。
【００１４】
本発明において、前記タイミング検知手段は、前記デコーダ内に搭載され、前記ＧＡＰ生成手段は、前記エンコーダ内に搭載されてもよい。
【００１５】
本発明に係る地上波デジタル放送のＩＰ再送信システムで用いるまだら編成時のシームレス切り替え制御方法は、ＨＤとＳＤとのまだら編成を含む地上波デジタル放送を受信して、ＰＳＩ及び映像ストリームを含むＴＳストリームに復調する受信機と、前記受信機出力をデコードするデコーダと、前記デコーダ出力をエンコードするエンコーダと、前記エンコーダ出力のＴＳストリームを切り替えて送出するマルチプレクサとを有する地上波デジタル放送のＩＰ再送信システムで用いるまだら編成時のシームレス切り替え制御方法であって、前記受信機出力のＴＳストリームにおけるＰＳＩ及び映像ストリームに基づいて、前記ＨＤとＳＤとのまだら編成の開始および終了の切り替わりタイミングを検知するステップと、前記切り替わりタイミングと前記ＴＳストリームにおけるＧＯＰ位相との同期を取るようにＧＯＰ同期信号を生成するステップと、前記ＧＯＰ同期信号に基づいて、前記エンコーダ出力のＴＳストリームにおける前記切り替わりタイミングのＧＯＰ位相に対応するＧＯＰ位置にＧＡＰを生成するステップと、前記ＧＯＰ同期信号に基づいて、前記ＧＡＰが生成されたタイミングで前記ＴＳストリームを切り替えるように前記マルチプレクサの動作を制御するステップとを有することを特徴とする。
【００１６】
本発明において、前記ＧＡＰを生成するステップは、前記エンコーダ出力のＴＳストリームを成す符号データのうちの前記切り替わりタイミングのＧＯＰ位相に対応する第１のＧＯＰ位置とその１ＧＯＰ分前のＧＯＰ位相に対応する第２のＧＯＰ位置との間の符号データを、前記第２のＧＯＰ位置から前記第１のＧＯＰ位置までの間に詰め込むことにより、前記第１のＧＯＰ位置にＧＡＰを生成してもよい。
【００１７】
この場合、前記ＧＡＰを生成するステップは、前記第１のＧＯＰ位置と前記第２のＧＯＰ位置との間の符号データに存在する無効データを前記第１のＧＯＰ位置に移動させることにより、前記第１のＧＯＰ位置にＧＡＰを生成してもよい。
【００１８】
或いは、前記ＧＡＰを生成するステップは、前記第１のＧＯＰ位置と前記第２のＧＯＰ位置との間の符号データの送出帯域を上げて相対的に増えた符号データを前記第２のＧＯＰ位置から前記第１のＧＯＰ位置までの間に詰め込んで送出させることにより、前記第１のＧＯＰ位置にＧＡＰを生成してもよい。
【００１９】
本発明に係る放送波の再送信システムは、ＨＤとＳＤとのまだら編成を含む放送波を受信して、ＰＳＩ及び映像ストリームを含むＴＳストリームに復調して出力する受信機と、前記受信機出力をデコードするデコーダと、前記デコーダ出力をエンコードするエンコーダと、前記エンコーダ出力のＴＳストリームを切り替えて送出するマルチプレクサとを有する放送波の再送信システムであって、前記受信機出力のＴＳストリームにおけるＰＳＩ及び映像ストリームに基づいて、前記ＨＤとＳＤとのまだら編成の開始および終了の切り替わりタイミングを検知するタイミング検知手段と、前記切り替わりタイミングと前記ＴＳストリームにおけるＧＯＰ位相との同期を取るようにＧＯＰ同期信号を生成するＧＯＰ同期信号生成手段と、前記ＧＯＰ同期信号に基づいて、前記エンコーダ出力のＴＳストリームにおける前記切り替わりタイミングのＧＯＰ位相に対応するＧＯＰ位置にＧＡＰを生成するＧＡＰ生成手段と、前記ＧＯＰ同期信号に基づいて、前記ＧＡＰが生成されたタイミングで前記ＴＳストリームを切り替えるように前記マルチプレクサの動作を制御するマルチプレクサ制御手段と、を有することを特徴とする。
【発明の効果】
【００２０】
本発明によれば、地上波デジタル放送のＩＰ再送信システムにおいて、まだら編成時の切り替え制御にかかる処理時間を相対的に短縮して、シームレス切り替えを実現することができる。
【発明を実施するための最良の形態】
【００２１】
次に、本発明に係る地上波デジタル放送のＩＰ再送信システム及びそのまだら編成時のシームレス切り替え制御方法を実施するための最良の形態について図面を参照して詳細に説明する。
【００２２】
図１に示す本実施形態に係る地上波デジタル放送のＩＰ再送信システムは、入力信号解析回路１と、ＧＡＰ（隙間）制御回路２と、ＧＡＰ生成回路３と、マルチプレクサ（ＭＵＸ）制御回路４と、ＴＳ出力受信機（以下、「ＴＳ−ＩＲＤ」と呼ぶ。）５と、デコーダ（ＤＥＣ）６と、エンコーダ（ＥＮＣ）７と、マルチプレクサ（ＭＵＸ）８と、ＧＯＰ同期信号発生装置９とを備える。このうち、ＴＳ−ＩＲＤ５、ＤＥＣ６、ＥＮＣ７、ＭＵＸ８は、従来システムで用いられているものと同様の構成である。
【００２３】
ＴＳ−ＩＲＤ５は、ＨＤとＳＤとのまだら編成を含む地上波デジタル放送の放送波を受信して、ＴＳストリーム（ＴＳ信号）に復調し、復調されたＴＳストリームをＤＥＣ６及び入力信号解析回路１に供給する。復調されたＴＳストリームには、１サービス分（ＳＶ１）のＨＤ（ＳＶ１  ＨＤ）のＴＳストリームと、複数サービス分（図中の例では３つのＳＶ１、２、３）のＳＤ（ＳＶ１  ＳＤ、ＳＶ２  ＳＤ、ＳＶ３  ＳＤ）のＴＳストリームとが含まれる。これらのＴＳストリームには、複数の画面を成すＩピクチャ、Ｐピクチャ、Ｂピクチャの内の少なくともＩピクチャを含むＧＯＰを単位とする映像ストリームが含まれる。
【００２４】
入力信号解析回路１は、ＴＳ−ＩＲＤ５により復調されたＴＳストリームを入力とし、その入力信号を解析することにより、ＴＳストリームを監視するストリーム監視機能と、そのＴＳストリームとして伝送されるＰＳＩ（Program Specific Information：番組特定情報）を監視するＰＳＩ監視機能とを有する。これらの機能により、入力信号解析回路１は、入力信号の解析で得られるＰＳＩを構成する各テーブルの内のＰＭＴ（Program Map Table：番組対応テーブル）及びＰＳＩで管理される映像ストリームから、まだら編成の開始および終了の切り替わりタイミングを検知し、その検知タイミングをＧＡＰ制御回路２、ＭＵＸ制御回路４、及びＧＯＰ同期信号生成装置９に対して通知する。
【００２５】
ＤＥＣ６は、ＴＳ−ＩＲＤ５出力の復調されたＴＳストリームを入力とし、そのＴＳストリームのうち、１サービス分のＨＤ（ＳＶ１  ＨＤ）に対応するＴＳストリームを入力してデコードするＨＤ用デコーダ（ＨＤ  ＤＥＣ）と、複数サービス分のＳＤ（ＳＶ１  ＳＤ、ＳＶ２  ＳＤ、ＳＶ３  ＳＤ）に対応するＴＳストリームを入力してデコードする複数のＳＤ用デコーダ（ＳＤ  ＤＥＣ）とを有する。
【００２６】
ＥＮＣ７は、ＤＥＣ６出力のうち、ＨＤ  ＤＥＣ出力を入力してエンコードするＨＤ用エンコーダ（ＨＤ  ＥＮＣ）と、各ＳＤ  ＤＥＣ出力を入力してエンコードする複数のＳＤ用エンコーダ（ＳＤ  ＥＮＣ）とを有する。
【００２７】
ＧＯＰ同期信号発生装置９は、入力信号解析回路１からの通知に基づいて、ＥＮＣ７出力の画像及び音声の切り替わりタイミングにＧＯＰ位相の同期が取れるように、ＧＯＰ位相をまだら編成の開始及び終了の切り替わりタイミングに設定する。
【００２８】
ＧＡＰ制御回路２は、入力信号解析回路１からの通知に基づいて、まだら編成の開始および終了の切り替わりタイミングを判断し、その切り替わりタイミングで、ＧＡＰ生成の制御が行われるようにＧＡＰ生成回路３の動作を制御する。
【００２９】
ＧＡＰ生成回路３は、ＥＮＣ７出力のＴＳストリームの符号データを入力とし、２ＧＯＰ分の入力ストリームの符号データを蓄積して順次ＭＵＸ８に送出すると共に、ＧＡＰ制御回路２からの制御により、まだら編成の開始及び終了の切り替わりタイミングに設定されたＧＯＰ位相のタイミングで、符号データのＧＯＰ位置にＧＡＰを生成する。
【００３０】
ＭＵＸ制御回路４は、入力信号解析回路１からの通知に基づいて、ＧＡＰ生成回路３が生成したＧＡＰが存在するタイミングで、ＭＵＸ８の入力ストリーム切り替え制御が行われるようにＭＵＸ８の動作を制御する。
【００３１】
ＭＵＸ８は、ＭＵＸ制御回路４からの制御により、ＧＡＰ生成回路３の入力ストリームを切り替える。
【００３２】
なお、ＧＡＰ制御回路２、ＧＡＰ生成回路３、ＥＮＣ７、及びＭＵＸ８においては、各装置の動作の同期を取るため、ＧＯＰ同期信号生成装置９からのＧＯＰ同期信号に基づいて、ＧＯＰ位相の同期を行う。また、ＧＡＰ生成回路３、ＥＮＣ７、及びＭＵＸ８においては、ＰＣＲ（Program Clock Reference）生成及びジッタ補正のため、ＳＴＣ（System Time Clock）の同期も行う。
【００３３】
次に、本実施例の動作について、図２を参照して詳細に説明する。
【００３４】
まず、入力信号解析回路１において、前述のＰＳＩ監視機能およびストリーム監視機能により得られたＰＭＴおよび映像ストリームから、まだら編成の開始及び終了の切り替わりタイミングを検知する（Ｓ１参照）。そして、入力信号解析回路１は、まだら編成時の開始及び終了の切り替わりタイミングを検知後、ＧＯＰ同期信号生成装置、ＧＡＰ制御回路２およびＭＵＸ制御回路４に、検知したまだら編成の開始及び終了の切り替わりタイミングの通知を行う（Ｓ２参照）。
【００３５】
その通知を受けたＧＯＰ同期信号発生器９は、ＥＮＣ７出力の画像及び音声の切り替わりにＧＯＰ位相の同期が取れるように、ＧＯＰ位相をまだら編成の開始及び終了の切り替わりタイミングに設定する（Ｓ３参照）。また、ＧＡＰ制御回路２およびＭＵＸ制御回路４は、ＧＯＰ同期信号に基づいて、それぞれＧＡＰ生成回路３およびＭＵＸ８に対する制御を行う（Ｓ４、Ｓ５参照）。
【００３６】
ＧＡＰ制御回路２からの制御を受けたＧＡＰ生成回路３は、まだら編成の開始及び終了の切り替わりタイミングで、ＥＮＣ７出力のＴＳストリームを成す符号データのＧＯＰ位置に、ＧＡＰ（隙間）を生成する（Ｓ６参照）。このＧＡＰの生成方法については、図３を参照し、以下に説明する。
【００３７】
図３を参照すると、ＧＡＰ生成回路３は、ＥＮＣ７出力の２ＧＯＰ分のＴＳストリームを成す符号データ、即ちまだら編成の開始及び終了の切り替わりタイミングのＧＯＰ位相に対応する第１のＧＯＰ位置Ａ＋１を基準としたときに、そのＧＯＰ位相から１ＧＯＰ分前の第２のＧＯＰ位置Ａから１ＧＯＰ分後の第３のＧＯＰ位置Ａ＋２の間の符号データのうち、第２のＧＯＰ位置Ａから第１のＧＯＰ位置Ａ＋１の間のＧＯＰの符号データを、第２のＧＯＰ位置Ａから第１のＧＯＰ位置Ａ＋１の間に詰め込む。こうすることで、まだら編成の開始及び終了の切り替わりタイミングのＧＯＰ位相に対応する第１のＧＯＰ位置Ａ＋１にＧＡＰを生成する。ここで、ＥＮＣ７出力の符号データを第２のＧＯＰ位置Ａから第１のＧＯＰ位置Ａ＋１までの間に詰め込む方法としては、次の二手法によって実現する。
【００３８】
１）第２のＧＯＰ位置Ａから第１のＧＯＰ位置Ａ＋１までの間のＧＯＰの符号データに存在する無効データ（ＮＵＬＬパケット）を第１のＧＯＰ位置Ａ＋１に移動させることにより、第１のＧＯＰ位置Ａ＋１にＧＡＰを生成する。
【００３９】
２）第２のＧＯＰ位置Ａから第１のＧＯＰ位置Ａ＋１までの間のＧＯＰの符号データの送出帯域を上げ、相対的に増えた符号データを、第２のＧＯＰ位置Ａから第２のＧＯＰ位置Ａ＋１までの間に詰め込み、送出させることにより、第１のＧＯＰ位置Ａ＋１にＧＡＰを生成する。
【００４０】
次いで、ＭＵＸ８は、ＧＡＰ生成回路３がＧＡＰを生成したＧＯＰ位相のタイミングで、入力ストリームの切り替え制御を行う（Ｓ７参照）。
【００４１】
以上の動作フローにより、ＩＰ再送信システムでのまだら編成のシームレス切り替えを実現することができる。
【００４２】
このように本実施形態では、ＭＵＸ８がまだら編成時の入力ストリーム切り替え制御を行うために、ＥＮＣ７出力のＴＳストリームに対してＧＡＰを生成する。すなわち、放送波から復調したＴＳから、入力信号解析回路１により、まだら編成の開始及び終了の切り替わりタイミングを検知する。そして、ＧＡＰ制御回路２がＧＡＰ生成回路３に対して制御を行うことにより、検知された放送波のまだら編成の開始および終了の切り替わりタイミングで、ＥＮＣ７出力のＴＳストリームに対してＧＡＰを生成する。ＭＵＸ制御回路４がＭＵＸ８の制御を行うことにより、ＭＵＸ８がそのＧＡＰのタイミングで、入力ストリーム切り替え制御を行う。これにより、まだら編成のシームレス切り替えを行う。
【００４３】
従って、本実施形態によれば、従来システムでは実現できないＩＰ再送信システムでの、まだら編成時のシームレス切り替えを実現することができる。また、従来システムに比べ、まだら編成時の切り替え制御にかかる処理時間を相対的に短縮することができる。
【００４４】
なお、上記の実施形態では、入力信号解析回路１がタイミング検知手段を、ＧＯＰ同期信号発生装置９がＧＯＰ同期信号生成手段を、ＧＡＰ制御回路２及びＧＡＰ生成回路３がＧＯＰ生成手段を、ＭＵＸ制御回路４がマルチプレクサ制御手段をそれぞれ構成しているが、本発明は必ずしもこの構成に限らない。
【００４５】
上記の地上波デジタル放送のＩＰ再送信システムは、そのハードウェア構成は特に限定されるものではなく、上述した各部の機能を実現可能なものであれば、いずれのものでも適用可能である。例えば、各部の機能毎に回路を独立させて構成したものでも、複数の機能を１つの回路にまとめて一体に構成したものでも、いずれのものであってもよい。
【００４６】
例えば、入力信号解析回路１の機能をＤＥＣ６内に、またＧＡＰ制御回路２およびＧＡＰ生成回路３の機能をＥＮＣ７内に搭載してもよい。こうすることで、さらに遅延が少なく精度の高いシステムを実現することが可能である。
【産業上の利用可能性】
【００４７】
本発明は、地上波デジタル放送のＩＰ再送信システムのほか、放送波の再送信システムの用途にも適用可能である。
【図面の簡単な説明】
【００４８】
【図１】本発明の実施形態に係る地上波デジタル放送のＩＰ再送信システムのブロック図である。
【図２】本発明の実施形態に係る地上波デジタル放送のＩＰ再送信システムの動作を説明するタイミングチャートである。
【図３】本発明の実施形態に係る地上波デジタル放送のＩＰ再送信システムによるＧＡＰの生成方法を説明する図である。
【符号の説明】
【００４９】
１  入力信号解析装置
２  ＧＡＰ制御回路
３  ＧＡＰ生成回路
４  ＭＵＸ制御回路
５  ＴＳ出力受信機（ＴＳ−ＩＲＤ）
６  デコーダ（ＤＥＣ）
７  エンコーダ（ＥＮＣ）
８  マルチプレクサ（ＭＵＸ）
９  ＧＯＰ同期信号発生装置
【図１】
2008244781.tif 000003
【図２】
2008244781.tif 000004
【図３】
2008244781.tif 000005